(57)【要約】【課題】自動販売機の周辺の必要な個所や商品ケースの運搬時にも雨を除けて所定の作業を円滑に進めることができる自動販売機の雨除け装置を提供する。【解決手段】この考案の雨除け装置は傘１０を有し、この傘１０は開閉可能な張り布１２を柄１１を取り付けてなる。この傘１０の下端部の取っ手１５には着脱部材としてマグネット１６が取り付けられている。このマグネット１６の磁気力で取っ手１５を例えば販売機本体１の側面に吸着させて傘１０を自動販売機の脇に立てる。そしてこの傘１０を必要に応じて必要な個所に移動して雨除けに使用し、また自動販売機から取り外して商品ケースの運搬時の雨除けに使用する。【選択図】    図１
0003132183.tif 000002
【実用新案登録請求の範囲】
【請求項１】
開閉可能な張り布を柄に取り付けてなる傘を有し、この傘の柄の下端部の取っ手に、この取っ手を自動販売機に対して着脱するための着脱部材が設けられ、この着脱部材を介して前記傘を自動販売機に着脱可能に取り付けて雨除けに使用することが可能な自動販売機の雨除け装置。
【請求項２】
前記着脱部材はマグネット又は人工吸盤であることを特徴とする請求項１に記載の自動販売機の雨除け装置。
【考案の詳細な説明】
【技術分野】
【０００１】
この考案は、自動販売機内に販売用の商品を装填する際などに使用する自動販売機の雨除け装置に関する。
【背景技術】
【０００２】
自動販売機は、前面が開口した箱形状の販売機本体と、この本体の前面の開口を開閉する横開き式の扉体とを備え、販売機本体内には販売用の商品を収納するためのコラムが設けられ、扉体の前面には商品を選択して指定するための選択ボタンや指定された商品を排出する販売口などが設けられている。
【０００３】
自動販売機内の商品が減少したときには、自動販売機の管理関係者により商品が補充される。この商品の補充の際には、作業員が自動販売機の前面の扉体を開き、販売機本体内のコラムに順次商品を装填する。
【０００４】
この際、自動販売機が店舗などの屋内に設置されている場合には問題がないが、露天の店頭や街路に設置されているような場合には、雨天時に雨が作業員に降りかかり、作業に支障が生じるという問題がある。
【０００５】
そこで、実用新案登録第２５０４１９７号公報（特許文献１）に見られるように、販売機本体の前面側上部と、開いた扉体の内面側上部との間に折畳み可能な雨除け具を天幕状に張り、この雨除け具で作業員に雨が降りかかるのを防止するような提案がなされている。
【特許文献１】実用新案登録第２５０４１９７号公報
【考案の開示】
【考案が解決しようとする課題】
【０００６】
しかしながら、実用新案登録第２５０４１９７号公報のものでは、天幕状の雨除け具を販売機本体の前面側上部と、開いた扉体の裏面側上部との間に張るものであり、したがって販売機本体の前面側の限られた一定の領域でしか雨をしのぐことができない。
【０００７】
販売機本体内に商品を装填するときには、まず商品が収納されている商品ケースを例えば運搬車両から降ろし、この商品ケースを自動販売機の脇にまで運び、自動販売機の扉体を開き、商品ケースを開梱して内部の商品を一個ずつ販売機本体内のコラムに挿入するという一連の作業が必要となる。
【０００８】
このため、販売機本体の前面側の限られた一定の領域しか雨除けすることができない構造では、販売機本体の周辺部で商品ケースを開梱したり、運搬車両と自動販売機との間で商品ケースを運搬したりする際に雨に濡れ、作業に支障が生じてしまう。
【０００９】
この考案はこのような点に着目してなされたもので、その目的とするところは、自動販売機の周辺の必要な個所や商品ケースの運搬時にも雨を除けて所定の作業を円滑に進めることができる自動販売機の雨除け装置を提供することにある。
【課題を解決するための手段】
【００１０】
この考案の雨除け装置は、開閉可能な張り布を柄に取り付けてなる傘を有し、この傘の柄の下端部の取っ手に、この取っ手を自動販売機に対して着脱するための着脱部材が設けられ、この着脱部材を介して前記傘を自動販売機に着脱可能に取り付けて雨除けに使用することが可能となっている。前記着脱部材としては、マグネット又は人工吸盤を用いる。
【考案の効果】
【００１１】
この考案の雨除け装置においては、雨天時に、自動販売機に商品を装填する際、傘を開いて張り布を展開し、この状態で取っ手の着脱部材を自動販売機に吸着させて傘を自動販売機の例えば脇に立て、この傘の張り布で自動販売機の脇から前面部分をカバーする。
【００１２】
この状態で自動販売機の扉体を開き、商品ケースを開梱して商品を一個ずつ取り出し、自動販売機内に順次装填して収納する。この際、商品ケースを自動販売機の脇から前面部分の領域に置いてその開梱及び商品の取り出しの作業を行なうことで、雨に濡れることなくその作業を行なうことができる。傘は、自動販売機に対して着脱可能であり、したがって随時必要な個所に移動してその必要な個所をカバーすることができる。
【００１３】
さらに、傘は自動販売機に対して着脱可能であるから、作業員が自動販売機の近くに止めた運搬車両と自動販売機との間で商品ケースの運搬などのために移動する際に、開いた傘を作業員自身が傘を手で持って移動することで雨に濡れることなく商品ケースを運搬することができる。
【考案を実施するための最良の形態】
【００１４】
以下、この考案の実施の形態について図面を参照して説明する。
【００１５】
図１および図２に示すように、自動販売機は前面が開口する箱形状の販売機本体１と、この販売機本体１の前面の縁部にヒンジ（図示せず）を介して回動自在に取り付けられ、その回動で販売機本体１の前面の開口を開閉することが可能な扉体２とを備えている。販売機本体１及び扉体２はそれぞれ鋼板で形成され、販売機本体１の内部には販売用の商品を上下に積層状態に並べて収納することが可能なコラム４が横方向に複数並列して設置されている。
【００１６】
１０は雨除け用の傘で、この傘１０は、柄１１と、この柄１１の上部に開閉可能に設けられた張り布１２とからなり、張り布１２は柄１１を中心に放射状に設けられた複数本の傘骨１３に張られている。そしてこの張り布１２は、展開時の平面形状が横長の長方形となるように構成され、例えばその横幅が約１２００ｍｍ、縦幅が約８５０ｍｍの大きさとなっている。
【００１７】
この傘１０の柄１１の下端部には取っ手１５が取り付けられている。この取っ手１５は図３に示すように柄１１に沿って延びる蒲鉾状をなし、その裏面の平面部に着脱部材として強力なマグネット１６が複数取り付けられている。
【００１８】
雨天時に、自動販売機に対する商品の装填作業を行なう際には、例えば図１に示すように、傘１０を開いて張り布１２を展開し、この状態で取っ手１５のマグネット１６を販売機本体１の側面上部にその磁気力で吸着させて傘１０を販売機本体１の向って右側の脇に立て、この傘１０の張り布１２で販売機本体１の右側の脇から前面部分をカバーする。
【００１９】
この状態で自動販売機の扉体２を開き、商品ケースを開梱して商品を一個ずつ取り出し、販売機本体１のコラム４内に順次装填して収納する。この際、商品ケースは例えば販売機本体１の右側の脇から前面部分の領域の部分に置き、その開梱及び商品の取り出し作業を行なう。販売機本体１の脇から前面部分は傘１０の張り布１２でカバーされており、したがって雨に濡れることなくその作業を行なうことができる。
【００２０】
傘１０は、自動販売機に対して着脱可能であり、したがって販売機本体１の脇に取り付けて使用する場合に限らず、必要な個所に移動して、例えば図２に示すように販売機本体１の向って左側の側面上部に取り付けたり、或いは開いた扉体２の内側に取り付けて使用することもできる。この場合には傘１０の張り布１２で販売機本体１の左側前面部分や扉体２の内側部分の領域をカバーすることができる。扉体２の内側に取り付けたときには、扉体２の内側を点検する際などに雨に濡れることなくその作業を行なうことができる。
【００２１】
さらに、傘１０は自動販売機に対して着脱可能であるから、作業員が自動販売機の近くに止めた運搬車両と自動販売機との間で商品ケースの運搬などのために移動する際に、作業員自身が傘１０を手で持って移動することで雨に濡れることなく商品ケースを運搬することができる。
【００２２】
運搬車両から自動販売機の設置場所にまで商品ケースを運搬する際には、図４に示すような手押し式のキャリア１７が用いられる。雨天時以外には傘１０を閉じて保管するわけであるが、その保管時に図４に示すように傘１０を閉じ、張り布１２に取り付けられている束ね帯１２ａを用いてその傘１０をキャリア１７に取り付けておくようにすれば、傘１０を便利に保管することができ、また雨が降り始めたときにまごつくことなく速やかに傘１０を使用することができる。
【００２３】
なお、前記実施形態においては、傘の取っ手に着脱部材としてマグネットを取り付け、このマグネットを介して傘を自動販売機に着脱可能に取り付けるようにしたが、マグネットに代えて人工吸盤を用い、その人工吸盤で傘を自動販売機に着脱可能に取り付けるような場合であってもよい。
【図面の簡単な説明】
【００２４】
【図１】この考案の一実施形態に係る自動販売機の雨除け装置の傘を販売機本体の右脇に取り付けた状態を示す斜視図。
【図２】同じく雨除け装置の傘を販売機本体の左脇に取り付けた状態を示す斜視図。
【図３】その雨除け装置の傘の取っ手の部分を拡大して示す斜視図。
【図４】その雨除け装置の傘をキャリアに取り付けた状態を示す斜視図。
【符号の説明】
【００２５】
１…販売機本体
２…扉体
４…コラム
１０…傘
１１…柄
１２…張り布
１２ａ…束ね帯
１３…傘骨
１５…取っ手
１６…マグネット
１７…キャリア
【図１】
0003132183.tif 000003
【図２】
0003132183.tif 000004
【図３】
0003132183.tif 000005
【図４】
0003132183.tif 000006